(57)【要約】【課題】印字項目やその内容に応じて最適な枠の幅の表を印字したラベルを発行可能なラベル発行装置を提供する。【解決手段】商品に関する印字項目を表形式で印字したラベルを発行するラベル発行装置１であって、印字項目の内容データ、及び、少なくとも印字項目の配置を示すラベルフォーマットを記憶する記憶部（ＲＡＭ，ＲＯＭなど）と、ラベルフォーマットに基づいて、表の枠内の所定位置に、印字項目、内容データを配置して表を生成する表生成手段２０４と、印字項目および内容データのデータ量に基づいて、表の枠内の空白部分を削除して表の枠の縦幅または横幅を縮小する幅調整手段２０３と、を有する。【選択図】図２
2015212034.tif 000002
【特許請求の範囲】
【請求項１】
商品に関する印字項目を表形式で印字したラベルを発行するラベル発行装置であって、
前記印字項目の内容データ、及び、少なくとも前記印字項目の配置を示すラベルフォーマットを記憶する記憶部と、
前記ラベルフォーマットに基づいて、表の枠内の所定位置に、前記印字項目、前記内容データを配置して表を生成する表生成手段と、
前記印字項目および前記内容データのデータ量に基づいて、表の枠内の空白部分を削除して前記表の枠の縦幅または横幅を縮小する幅調整手段と、を有することを特徴とする
ラベル発行装置。
【請求項２】
前記印字項目毎に、前記幅調整手段による縦幅または横幅の縮小を行うか否かを設定する設定手段を有することを特徴とする請求項１に記載のラベル発行装置。
【請求項３】
前記ラベルは、可変長のラベルであることを特徴とする請求項１または請求項２に記載のラベル発行装置。
【発明の詳細な説明】
【技術分野】
【０００１】
本発明は、ラベル発行装置に関する。
【背景技術】
【０００２】
ラベルを発行するラベルプリンタが知られている（例えば、特許文献１参照）。
また、商品に関する印字項目を表形式でラベルに印字するラベルプリンタが知られている。このラベルプリンタは、例えば、予め規定されたラベルフォーマットに従って、印字項目やその内容を表の枠内に配置している。
【先行技術文献】
【特許文献】
【０００３】
【特許文献１】特開２０１４−８６４７号公報
【発明の概要】
【発明が解決しようとする課題】
【０００４】
しかしながら、上述した印字項目を表形式でラベルに印字するラベルプリンタは、ラベルフォーマットにより規定された枠の横幅、縦幅に従って表を作成するので、例えば、印字項目に関する内容データのデータ量が小さい場合、表の枠内に無駄な空白部分が生じることがある。
表の枠内に空白部分が存在した状態でラベルを発行すると、必要以上にラベルの発行方向に長くなる場合がある。
【０００５】
本発明は、上述した問題に鑑みてなされたものであって、印字項目やその内容に応じて最適な枠の幅の表を印字したラベルを発行することができるラベル発行装置を提供すること、などを目的とする。
【課題を解決するための手段】
【０００６】
このような目的を達成するために、本発明によるラベル発行装置は、以下の構成要素を少なくとも具備するものである。
商品に関する印字項目を表形式で印字したラベルを発行するラベル発行装置であって、
前記印字項目の内容データ、及び、少なくとも前記印字項目配置を示すラベルフォーマットを記憶する記憶部と、
前記ラベルフォーマットに基づいて、表の枠内の所定位置に、前記印字項目、前記内容データを配置して表を生成する表生成手段と、
前記印字項目および前記内容データのデータ量に基づいて、表の枠内の空白部分を削除して前記表の枠の縦幅または横幅を縮小する幅調整手段と、を有することを特徴とする。
【発明の効果】
【０００７】
本発明によれば、印字項目やその内容に応じて最適な枠の幅の表を印字したラベルを発行可能なラベル発行装置を提供することができる。
【図面の簡単な説明】
【０００８】
【図１】本発明の実施形態に係るラベル発行装置の一例を示す斜視図。
【図２】ラベル発行装置の一例を示す図、（ａ）はラベル発行装置の一例を示す電気的な機能ブロック図、（ｂ）は制御部の機能ブロック図。
【図３】本発明の実施形態に係るラベル発行装置の動作の一例を示すフローチャート。
【図４】ラベル発行装置の設定画面の一例を示す図。
【図５】設定画面の一例を示す図。
【図６】ラベルフォーマットを表示した設定画面の一例を示す図。
【図７】表形式で印字項目および内容を示すラベルイメージの一例を示す図（空白部分がある場合）。
【図８】表形式で印字項目および内容を示すラベルイメージの一例を示す図（空白部分を削除した場合）。
【図９】表形式で印字項目および内容を示すラベルイメージの他の例を示す図（空白部分を削除した場合）。
【図１０】日本語、英語、フランス語などの多言語表記のラベルイメージの一例を示す図。
【発明を実施するための形態】
【０００９】
本発明の実施形態に係るラベル発行装置は、商品に関する印字項目を表形式で印字した可変長のラベルを発行する。ラベル発行装置は、印字項目、前記印字項目の内容データ、及び、前記印字項目と前記内容データの配置を示すラベルフォーマットを記憶する記憶部と、前記ラベルフォーマットに基づいて、表の枠内の所定位置に、前記印字項目、前記内容データを配置して表を生成する表生成手段と、前記印字項目および前記内容データのデータ量に基づいて、表の枠内の空白部分を削除して前記表の枠の縦幅または横幅を縮小する幅調整手段と、を有する。
以下、本発明の実施形態に係るラベル発行装置を、図面を参照しながら説明する。
【００１０】
図１は、本発明の実施形態に係るラベル発行装置１の一例を示す斜視図である。
【００１１】
ラベル発行装置１は、本体部１ａに印字機構部３を備える。印字機構部３はラベルを発行する。本体部１ａは、例えば、ラベルロールを収容可能である。例えば、表面に印字面が形成され、ラベルの裏面に粘着面を有する枚葉状のラベルは、ラベルロールからラベル用紙を引き出し、ラベル用紙をカッタなどの切断手段により切断することで生成される。ラベル発行装置１は、切断手段を備えない態様であってもよい。
【００１２】
ラベル発行装置１の本体部１ａの上部に表示入力部５が設けられている。表示入力部５は、液晶表示器などの表示部９ｂと、タッチパネル９ａと、キーボードなどの操作部７（キー操作部）とを有する。
本実施形態では、操作部７の筐体部７ａ上に表示部９ｂの筐体部５ａが傾斜自在に設けられている。
【００１３】
図２はラベル発行装置１の一例を示す図である。図２（ａ）はラベル発行装置１の一例を示す電気的な機能ブロック図である。図２（ｂ）は制御部の機能ブロック図である。
【００１４】
ラベル発行装置１は、詳細には、本体部１ａ内に制御装置１００を有する。制御装置１００は、印字機構部３、表示入力部５などを統括的に制御する。
【００１５】
制御装置１００は、制御部である制御手段２０（ＣＰＵ）と、印字・搬送制御部２２と、表示制御部２５と、操作制御部２４と、ＲＡＭ３０と、ＲＯＭ４０と、などを有する。制御装置１００の各構成要素はバスなどの通信線で電気的に接続されている。
【００１６】
制御手段２０は、制御装置１００の各構成要素を統括的に制御する。詳細には、制御手段２０は、ＲＡＭ３０やＲＯＭ４０などの記憶部に記憶されている制御用のプログラムを実行することにより、本発明に係る機能をコンピュータとしてのラベル発行装置１に実現させる。
【００１７】
記憶部としてのＲＡＭ３０やＲＯＭ４０には、制御用のプログラム、商品データ、各種パラメータ、などが記憶されている。詳細には、ＲＡＭ３０やＲＯＭ４０などの記憶部は、商品などに関する印字項目、印字項目の内容データ、及び、印字項目と内容データの配置を示すラベルフォーマット、などを記憶する。
【００１８】
表示制御部２５は、制御手段２０の制御により、表示入力部５の表示部９ｂに、ラベル発行装置１に関する画像などを表示させる。
【００１９】
操作制御部２４は、表示入力部５の操作部７（キー操作部）やタッチパネル９ａなどの入力装置からの信号を受信し、その信号を制御手段２０に出力する。制御手段２０は、入力装置からの入力に基づいて本発明に係る各動作を行う。
【００２０】
印字・搬送制御部２２は、印字機構部３に電気的に接続されており、制御手段２０の制御に基づいて、印字機構部３によりラベルを発行させる。
【００２１】
印字機構部３は、繰出手段３１と、印字手段３２と、剥離手段３３と、切断手段３４と、などを有する。
繰出手段３１は、モータにより回転駆動されるプラテンローラや排紙ローラなどを有し、ラベルロールからラベル用紙を設定された繰出速度にて繰り出す。
【００２２】
印字手段３２は、繰出手段３１よりも下流側（ラベル発行方向の下流側）に設けられた印字ヘッドなどを有し、制御手段２０の制御により印字ヘッドにより印字を行う。詳細には、印字手段３２は印字ヘッドによりラベル（ラベル用紙）に印字を行う。
【００２３】
剥離手段３３は、台紙にラベルを仮着したラベル用紙を用いた場合に必要に応じて設けられる。剥離手段３３は、繰出手段３１で繰り出されたラベル用紙のラベルを台紙から剥離する。詳細には、剥離手段３３は、印字手段３２よりも下流側に設けられたディスペンサなどを有し、ディスペンサによりラベルを台紙から剥離する。尚、剥離手段３３により台紙からラベルを剥離しない発行形態であれば、ラベル発行装置１に剥離手段３３を設けない構成であってもよい。
【００２４】
切断手段３４は、印字手段３２よりも下流側に配置されたカッタなどを有し、制御手段２０の制御により必要に応じてラベル用紙を切断する。尚、切断手段３４をラベル発行装置１に設けない構成であってもよい。
【００２５】
次に、制御手段２０の機能について詳細に説明する。
制御手段２０は、例えば、制御用のプログラムを実行することにより、指示手段２０１と、設定手段２０２と、幅調整手段２０３と、表生成手段２０４と、などを有する。
【００２６】
指示手段２０１は、操作部７（キー操作部）やタッチパネル９ａなどの入力装置からの信号に基づいて、表の作成に関する処理を行うか否かを指示する。
【００２７】
設定手段２０２は、操作部７（キー操作部）やタッチパネル９ａなどの入力装置からの信号に基づいて、表の各枠の横幅や縦幅を設定する。
また、設定手段２０２は、操作部７（キー操作部）やタッチパネル９ａなどの入力装置からの信号に基づいて、印字項目、印字項目の内容データ、印字項目や内容データの配置などに関する設定を行う。
また、設定手段２０２は、印字項目毎に、幅調整手段２０３による縦幅または横幅の縮小を行うか否かを設定する。
【００２８】
幅調整手段２０３は、印字項目および内容データのデータ量に基づいて、表の枠内の空白部分を削除して表の枠の縦幅または横幅を縮小する。
【００２９】
表生成手段２０４は、ラベルフォーマットに基づいて、表の枠内の所定位置に、印字項目、内容データを配置して表を生成する。また、表生成手段２０４で生成される表は、必要に応じて上記幅調整手段２０３により、表の枠の縦幅または横幅が適宜調整される。
【００３０】
図３は本発明の実施形態に係るラベル発行装置１の動作の一例を示すフローチャートである。
ステップＳＴ１において、制御手段２０は、操作部７（キー操作部）やタッチパネル９ａなどの入力装置からの信号に基づいて、表の生成指示があるか否かを判別し、表の生成指示がある場合、ステップＳＴ３の処理に進み、それ以外の場合にステップＳＴ２の処理に進む。
【００３１】
ステップＳＴ２において、制御手段２０は通常のラベル生成処理を行う。詳細には、制御手段２０は、印字機構部３を制御し、詳細には、繰出手段３１によりラベルロールからラベル用紙を繰り出し、印字手段３２の印字ヘッドによりラベル（ラベル用紙）に印字を行うことで、ラベルを発行し、ラベル発行に関する処理を終了する。
【００３２】
ステップＳＴ３において、制御手段２０は、操作部７（キー操作部）やタッチパネル９ａなどの入力装置からの信号に基づいて、印字項目（項目名）と内容等を設定する。制御手段２０は、設定された印字項目（項目名）や内容データなどを記憶部に記憶する。
【００３３】
ステップＳＴ４において、制御手段２０は、操作部７（キー操作部）やタッチパネル９ａなどの入力装置からの信号に基づいて、表の枠の幅調整を行うか否かを判別し、表の枠の幅調整を行うと判別した場合にステップＳＴ５の処理に進み、それ以外の場合ステップＳＴ６の処理に進む。
【００３４】
ステップＳＴ５において、制御手段２０は幅調整を行う。詳細には、幅調整手段２０３が、印字項目および内容データのデータ量に基づいて、表の枠内の空白部分を削除して表の枠の縦幅または横幅を縮小する処理を行う。
【００３５】
ステップＳＴ６において、制御手段２０は、上記ステップＳＴ３，ステップＳＴ４，ステップＳＴ５の処理結果に基づいて、表を生成する。
そして、制御手段２０は、上記表に基づいて、印字機構部３を制御し、詳細には、繰出手段３１によりラベルロールからラベル用紙を設定された繰出速度にて繰り出し、印字手段３２の印字ヘッドによりラベル（ラベル用紙）に印字を行う。この際、制御手段２０は、上述したように生成した表のサイズ（縦サイズや横サイズ）に基づいて、搬送方向のラベルの長さを調整することにより、可変長のラベルを発行する。
【００３６】
図４はラベル発行装置の設定画面の一例を示す図である。
ラベル発行装置の制御手段は、ラベルの設定処理に関する処理を行う場合、例えば、図４に示したように、設定画面を表示部に表示させる。
設定画面には、品名毎に、ラベルの角度の設定、横書きまたは縦書きの設定、文字間隔の設定、行間隔の設定、可変長印字に関する有効または無効の設定、表組みに関す有効または無効の設定、改行抜き印字に関する設定、改行抜開始行に関する設定などの各種領域が設けられている。
表組みボタン９１の操作により、表組みが有効に設定された場合、制御手段は、設定画面を表示部に表示して、表作成に関する処理を行う。
【００３７】
図５は、表作成に関する設定画面の一例を示す図である。
設定画面にて、品名や単位などが入力され、表組みアイコン９２が操作された場合、ラベルイメージ上に表のイメージを表示する。
【００３８】
図６はラベルフォーマット（値付けラベルのレイアウト）を表示した設定画面の一例を示す図である。
表に関するラベルフォーマットは、複数の枠を有し、各枠の横幅や縦幅などを自在に設定可能である。
ラベルフォーマットは印字項目、内容データの配置を示す。
図６に示した例では、左の各枠内に印字項目として品名、原材料、内容量、消費期限、使用上の注意、製造者などが設定され、その右隣りの枠内には、印字項目に関する内容データの表示位置などが設定されている。
【００３９】
図７は表形式で印字項目および内容を示すラベルイメージの一例を示す図（空白部分がある場合）である。詳細には、図７は、ラベルフォーマットに基づいて、表の枠内の所定位置に、印字項目、内容データを配置して生成された表の一例を示す。
図７に示した例では、印字項目の内容データを単純に配置して表記している。印字項目に関する内容データのデータ量が比較的小さい場合、枠内に空白部分が多く存在する場合がある。
制御手段は、この枠内の空白部分に関し白部分を削除し、表の枠の縦幅または横幅を縮小する処理を行う。
【００４０】
図８は表形式で印字項目および内容を示すラベルイメージの一例を示す図（空白部分を削除した場合）である。
図８に示した例では、印字項目および内容データのデータ量に基づいて、表の各枠内の空白部分を削除し、表の枠の縦幅または横幅を縮小した結果を示している。空白部分が削除され、表全体の縦幅や横幅が小さい表が生成される。
【００４１】
表に表示する印字項目は、必要に応じて適宜表示または非表示に設定することが可能である。図９は表形式で印字項目および内容を示すラベルイメージの他の例を示す図（空白部分を削除した場合）である。
【００４２】
図９に示した例は、図８と比較して、内容量とその内容データを非表示に設定している。指定した印字項目を非表示に設定した場合、制御手段はその指定された印字項目および内容データが配置される枠を削除し、表全体の縦幅を縮小する処理を行う。
こうすることで、煩雑な操作を行うことなく、指定した印字項目および内容データに応じて、最適な縦幅および横幅の表を自動的に作成することができる。
【００４３】
以上、説明したように、本発明の実施形態に係るラベル発行装置１は、商品に関する印字項目を表形式で印字したラベルを発行する。ラベル発行装置１は、可変長のラベルや固定長のラベルを発行可能である。ラベル発行装置１が可変長のラベルを発行する場合、発行方向のみを可変長とすることが好ましい。また、ラベル発行装置１が可変長ラベルを発行する場合、台紙なしラベルを採用することが好ましい。
尚、ラベル発行装置１は、台紙つきラベルを発行する場合、台紙を剥離しないモード（垂れ流しモード）であっても適用可能である。
このラベル発行装置１は、印字項目、印字項目の内容データ、及び、印字項目と内容データの配置を示すラベルフォーマットを記憶する記憶部（ＲＡＭ３０，ＲＯＭ４０など）と、ラベルフォーマットに基づいて、表の枠内の所定位置に、印字項目、内容データを配置して表を生成する表生成手段２０４と、印字項目および内容データのデータ量に基づいて、表の枠内の空白部分を削除して表の枠の縦幅または横幅を縮小する幅調整手段２０３と、を有する。
こうすることにより、印字項目やその内容に応じて最適な枠の幅の表を印字したラベルを発行可能なラベル発行装置１を提供することができる。
また、項目名と内容のデータ量に応じて、例えば、内容データのデータ量が比較的小さい場合、ラベルの縦方向（印字搬送方向（印字発行方向））の長さが比較的短いラベルを発行することができる。
こうすることで、空白部分の無駄がなくなり、ラベルの使用量を低減することができる。
また、通常印字（可変長ラベル発行ではない）の場合、ラベルの横幅や縦幅は固定であり表全体の縦幅や横幅の縮小自体は可能だが、ラベルの使用量の削減には効果がなく、可変長ラベル発行の場合、幅調整手段２０３の縦幅縮小の機能により、ラベルの発行方向へのラベル使用量を低減することができる。
また、ラベル搬送方向に対して印字方向を９０度または逆方向に９０度に設定（規定）することで、表の横幅（この場合、選べる搬送方向と同一方向の幅）を縮小可能であり、ラベルの使用量を削減することができる。
【００４４】
また、本発明の実施形態に係るラベル発行装置１は、設定手段が印字項目毎に、幅調整手段２０３による縦幅または横幅の縮小を行うか否かを設定する。詳細には、印字項目毎に可変長印字を行なうか否かを設定する。こうすることで、必要に応じて固定長印字と可変長印字を選択することができる。また、見栄えのよいラベルを容易に作成することができる。
【００４５】
尚、上記実施形態では、ラベル発行装置の制御装置が、記憶部、表生成手段、幅調整手段、設定手段などを有していたが、この形態に限られるものではない。例えば、ラベル発行装置の外部に設けられたコンピュータ（ＰＣ）がプログラムを実行することにより、本発明に係る機能をそのコンピュータに実現する態様であってもよい。
【００４６】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００４７】
尚、上述した実施例では、ラベルに印字される表は２列であったが、３列以上の表であってもよい。例えば、図１０に示したように、３列の表で、日本語、英語、フランス語などの多言語表記であってもよい。図１０に示したように横書きの場合、各行内の複数の枠のうち最も大きい縦幅（行数に対応する縦幅）に基づいて、幅調整手段が表の行それぞれの縦幅を調整する。例えば、図１０の場合、表の第１行目では、印字項目を示すデータが１行や２行である混在状態となり、表の第２行目では、印字項目を示すデータが２行や３行である混在状態となる。
【符号の説明】
【００４８】
１  ラベル発行装置
３  印字機構部
５  表示入力部
７  操作部
９ａ  タッチパネル
９ｂ  表示部
２０  制御手段
３０  ＲＡＭ（記憶部）
４０  ＲＯＭ（記憶部）
１００  制御装置
２０１  指示手段
２０２  設定手段
２０３  幅調整手段
２０４  表生成手段
【図１】
2015212034.tif 000003
【図２】
2015212034.tif 000004
【図３】
2015212034.tif 000005
【図４】
2015212034.tif 000006
【図５】
2015212034.tif 000007
【図６】
2015212034.tif 000008
【図７】
2015212034.tif 000009
【図８】
2015212034.tif 000010
【図９】
2015212034.tif 000011
【図１０】
2015212034.tif 000012